【事件の表示】
　上記当事者間の登録第４２４６２６８号商標の商標登録無効審判事件について、次のとおり審決する。
【結　論】
　登録第４２４６２６８号商標の指定商品中「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子」についての登録を無効とする。
　その余の指定商品についての審判請求は成り立たない。
　審判費用は、被請求人の負担とする。
【理　由】
１　本件商標
　本件登録第４２４６２６８号商標（以下、「本件商標」という。）は、平成９年９月５日に登録出願、後掲に示すとおりの構成よりなり、第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子，運動用特殊衣服，運動用特殊靴（「乗馬靴」を除く。）」を指定商品として、平成１１年３月５日に設定登録されたものである。
                        　
２　引用商標
　請求人が本件商標の無効を述べる理由に引用する登録第７０４５９１号商標（以下、「引用商標」という。）は、昭和３９年９月４日に登録出願、商標の構成を後掲のとおりとし、指定商品を第１７類「被服（運動用特殊被服を除く）布製身回品（他の類に属するものを除く）寝具類（寝台を除く）」として、昭和４１年４月１９日に設定登録され、その後、 昭和５１年１０月７日、昭和６１年９月１８日及び平成８年７月３０日の３回に亘り商標権存続期間の更新登録がされているものである。
　
３　請求人の主張
　請求人は、「本件商標の登録は無効とする。審判費用は被請求人の負担とする。」と申立て、その理由を以下のように述べ、証拠方法として、甲第１号証ないし同第３号証（枝番を含む。）を提出している。
〈請求の理由〉
　本件商標は「ＪＵＮＫＯ ＳＨＩＭＡＤＡ」及び「Ｊｕｎｋｉｄｓ」の文字を２段に分けて表示され、しかも両商標の大きさが異なるため「Ｊｕｎｋｉｄｓ」の文字がこれを見る者に顕著な印象を与え、したがって、「Ｊｕｎｋｉｄｓ」の文字はこの商標の要部というべきである。
　そして、「ｋｉｄｓ」は甲第１号証の２に示す通り小山羊の皮を表わす文字として普通に使用されているから、この商標の要部は「ＪＵＮ」の文字にあり、したがって、両商標は「ジュン」の称呼において互に類似するというべきである。
　特に、請求人は、わが国のファッション業界において１０番目に位置する優良企業であり、「ＪＵＮ」の商標は被服の識別標識として、需要者の間において広く認識されている。このため、被請求人が本願商標をその指定商品に付して使用するときは、あたかも審判請求人の製造、販売に係る商品であるかのように、商品の出所について混同を生じさせるおそれがあるというべきである。
　このようなわけで、本願商標の登録は、商標法第４６条第１項第１号により、その登録は無効とされるべきである。
 　
４　被請求人の答弁
　被請求人は、「本件審判は成り立たない、審判費用は請求人の負担とする。」との審決を求め答弁し、その理由を以下のように述べ、証拠方法として、乙第１号証（枝番を含む。）を提出している。
〈答弁の理由〉
　被請求人は、著名なデザイナー島田順子が世界で使用する商標全てを保有するものである。これらの商標は商標「ＪＵＮＫＯ ＳＨＩＭＡＤＡ」からなる商標を基本として、その商品シリーズによりバリエイションがある。本件商標は、既に世界各国において商標登録をした「Ｊｕｎｋ ｂｙ Ｊｕｎｋｏ Ｓｈｉｍａｄａ」（乙第１号証参照）と同じく「Ｊｕｎｋ」シリーズの一つであり、「Ｊｕｎｋｉｄｓ」は合成語である。
　請求人は、「ｋｉｄｓ」の文字が小山羊の皮を表す文字と主張するが、甲第１号証の２にもあるとおり、請求人の主張に該当する語は「ｓ」がない「ｋｉｄ」である。本件商標の下側の表示は「Ｊｕｎｋｉｄｓ」と末尾に「ｓ」が存在する。したがって、請求人の「ｋｉｄ」が小山羊の皮の意味であるとの主張をもって「Ｊｕｎｋｉｄｓ」を「Ｊｕｎ」と「ｓ」のある「ｋｉｄｓ」に分断する請求人の主張の間には何ら論理的な繋がりはないものであり請求人の主張は失当である。
　「Ｊｕｎｋ」は、フランスにおけるデザイン活動の中で「ＪＵＮＫＯ ＳＨＩＭＡＤＡ」の「ＪＵＮＫＯ」から派生してきた愛称である。
　上述のところから理解できるとおり、本件商標には「ＪＵＮＫＯ」の「ＪＵＮＫ」と「ｊｕｎｋｉｄｓ」の「ｊｕｎｋ」と二つの「ジュンク」が含まれている。
　いずれにしても、本件商標から「Ｊｕｎ」の部分を抽出する何らの理由も存在しないことは明らかである。
　したがって、本件商標は、請求人の登録商標「ＪＵＮ」と同一でも類似でもない。また本件商標は、１９９７年下半期から我が国においても使用しているが、請求人の商標と混同を生じたことはない。また、請求人の登録商標が周知であるという事実もないし、本件においてその証明もない。
　したがって、本件商標をその指定商品に使用しても商品の出所の混同を生ずる恐れもないものである。
 　
５　当審の判断
（１）本件商標は、後掲に示すとおり、上下二段に「ＪＵＮＫＯ ＳＨＩＭＡＤＡ」、「Ｊｕｎｋｉｄｓ」（後段の「ｉ」の文字は、ドットが省略されている。以下同じ）の各欧文字により書されてなるところ、これを構成する各文字は、上下二段に表され、かつ、両文字はその文字態様が異なるから視覚上自ずと分離して看取し得るものである。また、構成上段の「ＪＵＮＫＯ ＳＨＩＭＡＤＡ」の文字は、デザイナー「島田 順子」の氏名を欧米風に表したものと理解されるものであり、同後段の「Ｊｕｎｋｉｄｓ」の文字において「Ｊｕｎｋ」の文字部分を「ＪＵＮＫＯ」から派生してきた愛称であるとするような点を想起するものといい難く、これと上段の該デザイナーの氏名を欧米風に表した部分とは、常に一体のものとして把握しなければならないような事情は認められない。
　さらに、これら文字を全体として称呼した場合はやや冗長に亘るといえるものである。
　そうすると、本件商標をその指定商品について使用した場合、これに接する取引者、需要者は全体としては、「ＪＵＮＫＯ ＳＨＩＭＡＤＡ（島田 順子）」のデザインに係る「Ｊｕｎｋｉｄｓ」商標として理解するほか、後段の「Ｊｕｎｋｉｄｓ」の文字を製造ないしは販売標章を表したものとして認識し、その識別機能を果たす標章として捉え、これをもって取引に資する場合も決して少なくないものというべきである。
　そして、「Ｊｕｎｋｉｄｓ」の文字中の「ｋｉｄｓ」の文字部分は、子山羊の皮を表す語であるとする点は認め得るが、むしろ、近時の被服等の取引分野においては、子供の意味合いを有する英語でもある「ｋｉｄ」の語を複数的に「ｓ」文字を付加して「ｋｉｄｓ」の欧文字表記またはこの読み仮名表記「キッズ」の文字をもって、子供服またはその専門店を表す標章等として商取引上普通に使用されているのが実情であるといえるから、本願の指定商品である被服等について使用した場合、「Ｊｕｎｋｉｄｓ」の構成文字中の「ｋｉｄｓ」の文字部分は子供服ないしは子供用品であることを表したものとして認識させるものというのが取引の実情に即するというべきである。
　してみれば、本件商標は、構成後段の「Ｊｕｎｋｉｄｓ」の文字より「Ｊｕｎ」印の「子供服ないしは子供用品」として把握され、該構成文字全体として「ジュンキッズ」の称呼を生ずるほか、「Ｊｕｎ」の文字部分を商取引指標として捉え、これより単に、「ジュン」の称呼をも生ずるものと判断するのが相当である。
（２）これに対して、引用商標は、構成別掲のとおり「ＪＵＮ」の欧文字よりなるものであるから、構成文字に相応して「ジュン」の称呼を生ずるものといわなければならない。
（３）そこで、本件商標と引用商標とを比較するに、両者は、全体の外観・称呼を異にするとしても、共に「ＪＵＮ」の欧文字が商品識別標識としての機能を有すること上記のとおりであり、これより生ずる「ジュン」の称呼を共通にすることのある相紛らわしい類似の商標といわざるを得ない。
　また、両者はその指定商品をそれぞれ上記のとおりとするものであって、本件商標の指定商品中「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子」は引用商標の指定商品と同一又は類似の商品であって、これらは共に子供用の商品を含むものと認められる。
　してみれば、本件商標の登録は、上記の商品において、商標法第４条第１項第１１号に該当し、これに違反してされたものといわざるを得ない。
（４）更に、請求人は商品の出所の混同のおそれについて「請求人は、我が国のファッション業界において１０番目に位置する優良企業であり、『ＪＵＮ』の商標は被服の識別標識として、需要者の間において広く認識されている。」旨述べているが、被服と運動用特殊衣服及び運動用特殊靴とは、その生産・流通過程並びに需要者の意識範囲等取引の実情を異にする異種・別個の商品といわざるを得ず、請求人がこの種の運動用特殊商品の分野にまでその業務範囲を拡張しあるいは多角経営を図っているというような状況は明らかでなく、また、その証拠も見出せない。
　そうすると、たとえ、請求人に係る引用商標または使用商標が商品「被服」に関して需要者の間において広く認識されているものであるとしても、その周知・著名性が直ちに商品「運動用特殊衣服、運動用特殊靴（「乗馬靴」を除く。）」の分野にまで及ぶとみるのは些か困難というべきであるから、被請求人が本願商標をその指定商品（運動用特殊衣服、運動用特殊靴（「乗馬靴」を除く。））について使用した場合、あたかも請求人の製造、販売に係る商品であるかのように、商品の出所について混同を生じさせるおそれがあるということができない。
　してみれば、本件商標の登録は、上記の商品において、商標法第４条第１項第１５号に該当し、これに違反してされたものとすることはできない。
（５）以上のとおり、本件商標は、その指定商品中「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子」についての登録は、商標法第４条第１項第１１号に該当し、商標法第４６条第１項の規定により、無効とすべきものである。
　しかしながら、本願商標の指定商品中、上記商品を除く残余の商品「運動用特殊衣服、運動用特殊靴（「乗馬靴」を除く。）」は、引用商標の指定商品とは、互いに抵触のない非類似の商品と認められるものであり、また、本件商標は、他人の業務に係る商品と混同を生ずるおそれがある商標ということができない。  
（６）なお、請求人は、本件審判請求において、商標法第４６条第１項第１号により、本件商標の無効を述べているが、その主張の全趣旨よりみて適用条項は商標法第４条第１項第１１号及び同第１５号該当を理由というべきところ、被請求人は、これについて敢えて争わず、また、当事者双方の主張の論点よりみて、本件審判の請求が上記法条の規定違反にあったとみて差し支えないものと判断し、審決した。
　よって、結論のとおり審決する。